【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
複数の重なり合うプリントヘッド（３００）、重なり合う位置に割り送りされる１つのプリントヘッドまたは重なり合う位置に割り送りされる複数のプリントヘッドを用いて印刷するための、１列に多くのピクセルを有する二次元ビットマップ化された画像を印刷する方法であって、そのプリントヘッドまたはそれぞれのプリントヘッドは、放出チャンネル（３０１）の列を有し、それぞれの放出チャンネルは、関連する放出電極（７）を有し、この電極に対し、使用時に、印刷流体の本体内に作られる粒状物の濃縮部を生じるのに十分な電圧が加えられ、複数の重なり合うプリントヘッド、重なり合う位置に割り送りされる１つのプリントヘッドまたは重なり合う位置に割り送りされる複数のプリントヘッドの選択された放出チャンネルから印刷液滴として放出される多くの所定容積の１つに、所定容積の帯電した粒状物の濃縮部を生じるように、それぞれの画像ピクセルのビット値によって決定されるようなそれぞれの所定の振幅および持続時間の電圧パルス（ＶＥ）が、選択された放出チャネルの電極に加えられ、
それぞれの画像の列について、重なり合う放出チャンネル（３０１）によって印刷されるピクセルを作成するために、複数の重なり合うプリントヘッド、重なり合う位置に割り送りされる１つのプリントヘッドまたは重なり合う位置に割り送りされる複数のプリントヘッドに加えられる電圧パルス（ＶＥ）の値が、プリントヘッド（３００）の重なり合う領域内のピクセルの位置に依存して、また、ピクセルの所定の容積の大きさに依存して、それぞれのピクセルのための放出体積を可変的に調整可能となるように、可変的に調整され、
それぞれの重なり合うプリントヘッドまたは重なり合う位置に割り送りされる１または複数のプリントヘッドは、プリントヘッドの重なり合う領域におけるそれぞれの非ブランクピクセルへの寄与を１回の放出で印刷し、１または複数のプリントヘッドの重なり合う領域に印刷されるピクセルの所定の容積の大きさに依存しており１または複数のプリントヘッドの重なり合う領域内のそれぞれの非ブランクピクセルの位置に依存している所定のフェーディング機能に基づいて印刷する、
方法。
【請求項２】
使用時に互いに対して所定の位置に固定されている複数の重なり合うプリントヘッド（３００）が用いられる、請求項１に記載の方法。
【請求項３】
１または複数のプリントヘッド（３００）は、印刷基材に対する１回の通過で印刷する第１のプリントヘッドと、印刷基材に対するその後の通過で印刷し、第１のプリントヘッドの位置と所定位置で重なり合う同じプリントヘッドまたは別のプリントヘッドを含む、請求項１に記載の方法。
【請求項４】
第１のプリントヘッド（３００）は、望ましい重なり合いより小さなプリントヘッドのチャンネル（３０１）列の幅に等しい距離で、基材を通過するように割り送られる、請求項３に記載の方法。
【請求項５】
それぞれのプリントヘッド（３００）は、互いに平行なモジュールに配置され、隣接する放出チャンネル（３０１）間の距離の一部によって補正される多くの同一のプリントヘッドの１つであり、それによって、印刷された画像が、隣接する放出チャネル間の距離より大きな解像度を有する、請求項１に記載の方法。
【請求項６】
個々のモジュールの幅よりも大きな印刷幅を可能にする、互いに重なり合った複数の前記モジュール（３００−１〜３００−４）を含む、請求項５に記載の方法。
【請求項７】
モジュール（３００）は、望ましい重なり合いより小さなプリントヘッドのチャンネル（３０１）列の幅に等しい距離で、基材を通過するように割り送られる、請求項５に記載の方法。
【請求項８】
１または複数のプリントヘッド（３００）は、隣接する放出チャンネル（３０１）間の距離の一部に割り送られ、それによって、印刷された画像が、隣接する放出チャネル間の距離より大きな解像度を有する、請求項３に記載の方法。
【請求項９】
ピクセル値をそれぞれの所定の振幅および持続時間の電圧パルス（ＶＥ）に変換し、印刷させる前に、ピクセルのビット値が、１または複数のプリントヘッド（３００）の重なり合う領域内のピクセルの位置に依存して、また、ピクセルの所定の容積の大きさに依存して調整される、請求項１〜８のいずれかに記載の方法。
【請求項１０】
画像のピクセルのビット値が、プリントヘッドの駆動電気部（３０６Ａ、３０６Ｂ）に与えられ、この値を電圧パルス（ＶＥ）に変換し、電圧パルス値が、１または複数のプリントヘッドの放出電極に加えられる前に、１または複数のプリントヘッド（３００）の重なり合う領域内のピクセルの位置に依存して、また、ピクセルの所定の容積の大きさに依存して決定される、請求項１〜８のいずれかに記載の方法。
【請求項１１】
１列に多くのピクセルを有する二次元ビットマップ化された画像を印刷する装置であって、この装置は、複数の重なり合うプリントヘッド（３００）、重なり合う位置に割り送りされる１つのプリントヘッドまたは重なり合う位置に割り送りされる複数のプリントヘッドを含み、そのプリントヘッドまたはそれぞれのプリントヘッドは、放出チャンネル（３０１）の列を有し、それぞれの放出チャンネルは、関連する放出電極（７）を有し、この電極に対し、使用時に、印刷流体の本体内に作られる粒状物の濃縮部を生じるのに十分な電圧が加えられ、複数の重なり合うプリントヘッド、重なり合う位置に割り送りされる１つのプリントヘッドまたは重なり合う位置に割り送りされる複数のプリントヘッドの選択された放出チャンネルから印刷液滴として放出される多くの所定容積の１つに、所定容積の帯電した粒状物の濃縮部を生じるように、それぞれの画像ピクセルのビット値によって決定されるようなそれぞれの所定の振幅および持続時間の電圧パルス（ＶＥ）が、選択された放出チャネルの電極に加えられ、
それぞれの画像の列について、重なり合う放出チャンネル（３０１）によって印刷されるピクセルを作成するために、複数の重なり合うプリントヘッド、重なり合う位置に割り送りされる１つのプリントヘッドまたは重なり合う位置に割り送りされる複数のプリントヘッドに加えられる電圧パルスの値が、プリントヘッドの重なり合う領域内のピクセルの位置に依存して、また、ピクセルの所定の容積の大きさに依存して、それぞれのピクセルのための放出体積を可変的に調整可能となるように、可変的に調整され、
それぞれの重なり合うプリントヘッドまたは重なり合う位置に割り送りされる１または複数のプリントヘッドは、プリントヘッドの重なり合う領域におけるそれぞれの非ブランクピクセルへの寄与を１回の放出で印刷し、１または複数のプリントヘッドの重なり合う領域に印刷されるピクセルの所定の容積の大きさに依存しており１または複数のプリントヘッドの重なり合う領域内のそれぞれの非ブランクピクセルの位置に依存している所定のフェーディング機能に基づいて印刷する、
装置。
【請求項１２】
使用時に互いに対して所定の位置に固定されている複数の重なり合うプリントヘッド（３００）を有する、請求項１１に記載の装置。
【請求項１３】
印刷基材に対する１回の通過で印刷するように配列された第１のプリントヘッド（３００）と、印刷基材に対するその後の通過で印刷し、第１のプリントヘッドの位置と所定位置で重なり合う同じプリントヘッドまたは別のプリントヘッドを含む、請求項１１に記載の装置。
【請求項１４】
第１のプリントヘッド（３００）は、望ましい重なり合いより小さなプリントヘッドのチャンネル列の幅に等しい距離で、基材を通過するように割り送られる、請求項１３に記載の装置。
【請求項１５】
それぞれのプリントヘッド（３００）は、互いに平行なモジュール（３００）に配置され、隣接する放出チャンネル間の距離の一部によって補正される多くの同一のプリントヘッドの１つであり、それによって、印刷された画像が、隣接する放出チャネル間の距離より大きな解像度を有する、請求項１１に記載の装置。
【請求項１６】
個々のモジュールの幅よりも大きな印刷幅を可能にする、互いに重なり合った複数の前記モジュール（３００）を含む、請求項１５に記載の装置。
【請求項１７】
モジュール（３００）が、望ましい重なり合いより小さなプリントヘッドのチャンネル列の幅に等しい距離で、基材を通過するように割り送られるように配置される、請求項１５に記載の装置。
【請求項１８】
１または複数のプリントヘッド（３００）が、隣接する放出チャンネル間の距離の一部に割り送られるように配置され、それによって、印刷された画像が、隣接する放出チャネル間の距離より大きな解像度を有する、請求項１３に記載の装置。
【請求項１９】
請求項１〜１０のいずれかに記載の方法を行うための装置。
【請求項２０】
装置が、請求項１１〜１８のいずれかに合致する、請求項１９に記載の装置。